(57)【要約】  本開示は、アプリケーション削除通知方法に関し、アプリケーションを削除する指令を受信するステップと、前記アプリケーションを削除する指令に基づいて、前記アプリケーションの使用履歴情報を取得するステップと、前記使用履歴情報に基づいて、対応する削除通知情報を出力するステップと、を含む。本開示は、削除しようとする重要性が異なるアプリケーションに対して異なる削除通知情報を出力して、ユーザによる削除の誤操作を減らし、アプリケーションデータの紛失を防止することを実現する。本開示は、さらに、上記方法を実現するための装置を開示している。【選択図】図１
2016532187.tif 000002
【特許請求の範囲】
【請求項１】
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む
ことを特徴とするアプリケーション削除通知方法。
【請求項２】
前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む
ことを特徴とする請求項１に記載の方法。
【請求項３】
前記使用履歴情報が前記アプリケーションの使用状況パラメータを含む場合、前記使用履歴情報に基づいて、対応する削除通知情報を出力するステップは、
前記使用状況パラメータが該当する所定閾値以上であるか否かを判定するステップと、
前記使用状況パラメータが該当する所定閾値以上であると、所定の強調注意コンテンツを含む削除通知情報を出力するステップと、を含む
ことを特徴とする請求項２に記載の方法。
【請求項４】
前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上であると、所定の強調注意コンテンツを含む削除通知情報を出力するステップと、を含む
ことを特徴とする請求項２に記載の方法。
【請求項５】
前記使用履歴情報が前記アプリケーションの使用状況パラメータ及び前記アプリケーションによりローカルに記憶されているデータ量を含む場合、前記使用履歴情報に基づいて、対応する削除通知情報を出力するステップは、
前記使用状況パラメータが該当する所定閾値以上であるか否かを判定するとともに、前記アプリケーションによりローカルに記憶されているデータ量が所定データ量以上であるか否かを判定するステップと、
前記使用状況パラメータが該当する所定閾値以上であり、且つ、前記アプリケーションによりローカルに記憶されているデータ量が所定データ量以上であると、所定の強調注意コンテンツを含む削除通知情報を出力するステップと、を含む
ことを特徴とする請求項２に記載の方法。
【請求項６】
前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上であると、所定の強調注意コンテンツを含む削除通知情報を出力するステップと、を含む
ことを特徴とする請求項１に記載の方法。
【請求項７】
所定の強調注意コンテンツを含む削除通知情報を出力するステップは、
前記所定の強調注意コンテンツを含む削除通知情報を２回連続に出力するステップを含む
ことを特徴とする請求項３〜６のいずれか１項に記載の方法。
【請求項８】
所定の強調注意コンテンツを含む削除通知情報を出力するステップは、
前記削除通知情報における所定の強調注意コンテンツを文字及び／又は音声で通知するステップを含む
ことを特徴とする請求項３〜６のいずれか１項に記載の方法。
【請求項９】
前記所定の強調注意コンテンツは、前記使用履歴情報を含む
ことを特徴とする請求項８に記載の方法。
【請求項１０】
前記アプリケーションを削除する指令を受信するステップの前に、さらに、
前記アプリケーションの使用履歴情報を記録するステップを含む
ことを特徴とする請求項１に記載の方法。
【請求項１１】
アプリケーションを削除する指令を受信するための受信モジュールと、
前記受信モジュールにより受信したアプリケーションを削除する指令に基づいて、前記アプリケーションの使用履歴情報を取得するための取得モジュールと、
前記取得モジュールにより取得した使用履歴情報に基づいて、対応する削除通知情報を出力するための出力モジュールと、を含む
ことを特徴とするアプリケーション削除通知装置。
【請求項１２】
前記出力モジュールは、
前記使用状況パラメータが該当する所定閾値以上であるか否かを判定するための第１の判定ユニットと、
前記第１の判定ユニットが前記使用状況パラメータが該当する所定閾値以上であると判定した場合、所定の強調注意コンテンツを含む削除通知情報を出力するための第１の出力ユニットと、を含む
ことを特徴とする請求項１１に記載の装置。
【請求項１３】
前記出力モジュールは、
前記アプリケーションによってローカルに記憶されているデータ量が所定データ量以上であるか否かを判定するための第２の判定ユニットと、
前記第２の判定ユニットが前記アプリケーションによってローカルに記憶されているデータ量が所定データ量以上であると判定した場合、所定の強調注意コンテンツを含む削除通知情報を出力するための第２の出力ユニットと、を含む
ことを特徴とする請求項１１に記載の装置。
【請求項１４】
前記出力モジュールは、
前記使用状況パラメータが該当する所定閾値以上であるか否かを判定するとともに、前記アプリケーションによってローカルに記憶されているデータ量が所定データ量以上であるか否かを判定するための第３の判定ユニットと、
前記第３の判定ユニットが前記使用状況パラメータが該当する所定閾値以上であると判定するとともに、前記アプリケーションによってローカルに記憶されているデータ量が所定データ量以上であると判定した場合、所定の強調注意コンテンツを含む削除通知情報を出力するための第３の出力ユニットと、を含む
ことを特徴とする請求項１１に記載の装置。
【請求項１５】
前記出力モジュールは、
前記使用履歴情報に基づいて、全てのアプリケーションにおける前記アプリケーションの重要度ランクを確認するための確認ユニットと、
前記確認ユニットにより確認された全てのアプリケーションにおける前記アプリケーションの重要度ランクが所定順位以上であるか否かを判定するための第４の判定ユニットと、
前記第４の判定ユニットが全てのアプリケーションにおける前記アプリケーションの重要度ランクが所定順位以上であると判定した場合、所定の強調注意コンテンツを含む削除通知情報を出力するための第４の出力ユニットと、を含む
ことを特徴とする請求項１１に記載の装置。
【請求項１６】
さらに、
前記取得モジュールにより取得された前記アプリケーションの使用履歴情報を記録するための記録モジュールを含む
ことを特徴とする請求項１１に記載の装置。
【請求項１７】
プロセッサと、
プロセッサにより実行可能な指令を記憶するためのメモリと、を含み、
前記プロセッサは、
アプリケーションを削除する指令を受信し、
前記アプリケーションを削除する指令に基づいて、前記アプリケーションの使用履歴情報を取得し、
前記使用履歴情報に基づいて、対応する削除通知情報を出力する
ことを特徴とするアプリケーション削除通知装置。
【発明の詳細な説明】
【技術分野】
【０００１】
本開示は、モバイル通信技術分野に関し、特に、アプリケーション削除通知方法及びアプリケーション削除通知装置に関する。
【背景技術】
【０００２】
スマート端末は、ユーザの必要に応じてアプリケーションを任意にインストール又は削除することができる。ユーザは、スマート端末からめったに使わない、又は、好きではないアプリケーションを削除する。しかしながら、誤操作により、削除するつもりの無いアプリケーションを誤って削除してしまうこともありえる。
【０００３】
アプリケーションが削除されたら、スマート端末における当該アプリケーションのローカルデータもともに削除されてしまう。したがって、削除するつもりの無いアプリケーションを誤って削除してしまった場合、ローカルのアプリケーションデータの紛失を招来し、当該アプリケーションを再びインストールしたとしても、紛失したデータを復元できない。
【０００４】
ユーザがアプリケーションを削除するとき、画面に通知のポップアップが表示されて、ユーザが当該アプリケーションを削除するか否かを確認する。しかしながら、当該通知のコンテンツが単純すぎるので、ユーザは、削除するつもりのないアプリケーションを誤って選択しても、当該通知によって削除の対象を誤ったことを気づけず、ローカルデータを紛失してしまう。
【発明の概要】
【０００５】
関連技術における問題点を解消するために、本開示は、ユーザがアプリケーションを削除する動作により適切な通知を提供することにより、ユーザによる削除の誤操作を減少できるアプリケーション削除通知方法及びアプリケーション削除通知装置を提供する。
【０００６】
本開示に係る実施例の第１態様によれば、アプリケーション削除通知方法を提供し、当該アプリケーション削除通知方法は、
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む。
【０００７】
削除しようとする異なるアプリケーションについて、異なる削除通知情報を出力し、ユーザによる削除の誤操作を減らし、アプリケーションデータの紛失を防止することを実現する。
【０００８】
好ましくは、前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む。複数の次元によって、削除しようとするアプリケーションがよく使われるか否か、または、その重要性が比較的高いか否かを判定する。
【０００９】
好ましくは、前記使用履歴情報が前記アプリケーションの使用状況パラメータを含む場合、前記使用履歴情報に基づいて、対応する削除通知情報を出力するステップは、
前記使用状況パラメータが該当する所定閾値以上であるか否かを判定するステップと、
前記使用状況パラメータが該当する所定閾値以上であると、所定の強調注意コンテンツを含む削除通知情報を出力するステップと、を含む。使用状況パラメータに基づいて、削除しようとするアプリケーションがよく使われるか否か、又は、その重要性が比較的高いか否かを判定し、削除の誤操作が発生する確率を減らす。
【００１０】
好ましくは、前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上であると、所定の強調注意コンテンツを含む削除通知情報を出力するステップと、を含む。ローカルに記憶されているデータ量に基づいて、削除しようとするアプリケーションがよく使われるか否か、又はその重要性が比較的高いか否かを判定し、削除の誤操作が発生する確率を減らす。
【００１１】
好ましくは、前記使用履歴情報が前記アプリケーションの使用状況パラメータ及び前記アプリケーションによりローカルに記憶されているデータ量を含む場合、前記使用履歴情報に基づいて、対応する削除通知情報を出力するステップは、
前記使用状況パラメータが該当する所定閾値以上であるか否かを判定するとともに、前記アプリケーションによりローカルに記憶されているデータ量が所定データ量以上であるか否かを判定するステップと、
前記使用状況パラメータが該当する所定閾値以上であり、且つ、前記アプリケーションによりローカルに記憶されているデータ量が所定データ量以上であると、所定の強調注意コンテンツを含む削除通知情報を出力するステップと、を含む。同時に、使用状況パラメータとローカルに記憶されているデータ量に基づいて、削除しようとするアプリケーションがよく使われるか否か、又はその重要性が比較的高いか否かを判定し、削除の誤操作が発生する確率をさらに減らす。
【００１２】
好ましくは、前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上であると、所定の強調注意コンテンツを含む削除通知情報を出力するステップと、を含む。システムの算出した重要度ランクに基づいて、削除しようとするアプリケーションの重要性が比較的高いか否かを判定し、削除の誤操作が発生する確率を減らす。
【００１３】
好ましくは、所定の強調注意コンテンツを含む削除通知情報を出力するステップは、
前記所定の強調注意コンテンツを含む削除通知情報を２回連続に出力するステップを含む。アプリケーションの重要性に基づいて、ユーザに複数回通知する。
【００１４】
好ましくは、所定の強調注意コンテンツを含む削除通知情報を出力するステップは、
前記削除通知情報における所定の強調注意コンテンツを文字及び／又は音声で通知するステップを含む。同時に音声及び文字でユーザに通知し、削除の誤操作が発生する確率をさらに減らす。
【００１５】
好ましくは、前記所定の強調注意コンテンツは、前記使用履歴情報を含む。ユーザが当該アプリケーションの重要度を了解する。
【００１６】
好ましくは、アプリケーションを削除する指令を受信するステップの前に、さらに、
前記アプリケーションの使用履歴情報を記録するステップを含む。これにより、よく使われる、又は、重要性が比較的高いアプリケーションを判定する。
【００１７】
本開示に係る実施例の第２の態様によれば、アプリケーションの削除通知装置を提供し、当該アプリケーションの削除通知装置は、
アプリケーションを削除する指令を受信するための受信モジュールと、
前記受信モジュールにより受信したアプリケーションを削除する指令に基づいて、前記アプリケーションの使用履歴情報を取得するための取得モジュールと、
前記取得モジュールにより取得した使用履歴情報に基づいて、対応する削除通知情報を出力するための出力モジュールと、を含む。
【００１８】
好ましくは、前記出力モジュールは、
前記使用状況パラメータが該当する所定閾値以上であるか否かを判定するための第１の判定ユニットと、
前記第１の判定ユニットが、前記使用状況パラメータが該当する所定閾値以上であると判定した場合、所定の強調注意コンテンツを含む削除通知情報を出力するための第１の出力ユニットと、を含む。
【００１９】
好ましくは、前記出力モジュールは、
前記アプリケーションによりローカルに記憶されているデータ量が所定データ量以上であるか否かを判定するための第２の判定ユニットと、
前記第２の判定ユニットが、前記アプリケーションによりローカルに記憶されているデータ量が所定データ量以上であると判定した場合、所定の強調注意コンテンツを含む削除通知情報を出力するための第２の出力ユニットと、を含む。
【００２０】
好ましくは、前記出力モジュールは、
前記使用状況パラメータが該当する所定閾値以上であるか否かを判定するとともに、前記アプリケーションによりローカルに記憶されているデータ量が所定データ量以上であるか否かを判定するための第３の判定ユニットと、
前記第３の判定ユニットが、前記使用状況パラメータが該当する所定閾値以上であると判定するとともに、前記アプリケーションによりローカルに記憶されているデータ量が所定データ量以上であると判定した場合、所定の強調注意コンテンツを含む削除通知情報を出力するための第３の出力ユニットと、を含む。
【００２１】
好ましくは、前記出力モジュールは、
前記使用履歴情報に基づいて、全てのアプリケーションにおける前記アプリケーションの重要度ランクを確認するための確認ユニットと、
前記確認ユニットにより確認された全てのアプリケーションにおける前記アプリケーションの重要度ランクが所定順位以上であるか否かを判定するための第４の判定ユニットと、
前記第４の判定ユニットが、全てのアプリケーションにおける前記アプリケーションの重要度ランクが所定順位以上であると判定した場合、所定の強調注意コンテンツを含む削除通知情報を出力するための第４の出力ユニットと、を含む。
【００２２】
好ましくは、前記装置は、さらに、
前記取得モジュールにより取得された前記アプリケーションの使用履歴情報を記録するための記録モジュールを含む。
【００２３】
本開示に係る実施例の第３の態様によれば、アプリケーション削除通知装置を提供し、当該アプリケーション削除通知装置は、
プロセッサと、
プロセッサにより実行可能な指令を記憶するためのメモリと、を含み、
前記プロセッサは、
アプリケーションを削除する指令を受信し、
前記アプリケーションを削除する指令に基づいて、前記アプリケーションの使用履歴情報を取得し、
前記使用履歴情報に基づいて、対応する削除通知情報を出力する。
【００２４】
本開示の実施例に係る技術案は、以下の有益な効果を有する。
端末装置が使用される状況が異なるとき、削除しようとするアプリケーションに対して異なる削除通知情報を出力し、ユーザによる削除誤操作を減らし、アプリケーションデータの紛失を防止する。使用状況パラメータ、ローカルに記憶されているデータ量に基づいて、アプリケーションの重要性を判定するとともに、削除通知を表示し、又は音声で放送することにより、ユーザによる削除の誤操作の確率を減らす。
【００２５】
以上の一般的な記述及び以下の詳細な記述は、例示のものに過ぎず、本開示を限定するものではないと理解すべきである。
【図面の簡単な説明】
【００２６】
ここでの図面は、明細書の一部分として明細書全体を構成することにより、本開示に合致する実施例を例示するとともに、本開示の原理を解釈するためのものである。
【図１】例示的な実施例におけるアプリケーション削除通知方法を示すフローチャートである。
【図２】例示的な実施例におけるアプリケーション削除通知方法を示すフローチャートである。
【図３】例示的な実施例における削除通知情報を出力するときの画面を模式的に示す図である。
【図４】例示的な実施例における削除通知情報を出力するときの画面を模式的に示す図である。
【図５】例示的な実施例におけるアプリケーション削除通知方法を示すフローチャートである。
【図６】例示的な実施例における削除通知情報を出力するときの画面を模式的に示す図である。
【図７】例示的な実施例におけるアプリケーション削除通知方法を示すフローチャートである。
【図８】例示的な実施例における削除通知情報を出力するときの画面を模式的に示す図である。
【図９】例示的な実施例におけるアプリケーション削除通知方法を示すフローチャートである。
【図１０】例示的な実施例における削除通知情報を出力するときの画面を模式的に示す図である。
【図１１】例示的な実施例におけるアプリケーション削除通知方法を示すフローチャートである。
【図１２】例示的な実施例におけるアプリケーション削除通知装置を示すブロック図である。
【図１３】例示的な実施例における出力モジュールを示すブロック図である。
【図１４】例示的な実施例における出力モジュールを示すブロック図である。
【図１５】例示的な実施例における出力モジュールを示すブロック図である。
【図１６】例示的な実施例における出力モジュールを示すブロック図である。
【図１７】例示的な実施例におけるアプリケーション削除通知装置を示すブロック図である。
【図１８】例示的な実施例におけるアプリケーション削除通知装置を示すブロック図である。
【発明を実施するための形態】
【００２７】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の態様と一致する装置及び方法の例にすぎない。
【００２８】
図１は、例示的な実施例におけるアプリケーション削除通知方法を示すフローチャートである。図１に示すように、アプリケーション削除通知方法は、端末装置に用いられ、以下のステップを含む。
【００２９】
ステップＳ１０１において、アプリケーションを削除する指令を受信する。当該アプリケーションを削除する指令は、ユーザの端末装置におけるアプリケーションに対する削除操作に対応するものである。
【００３０】
ステップＳ１０２において、アプリケーションを削除する指令に基づいて、アプリケーションの使用履歴情報を取得する。
【００３１】
端末装置は、受信したアプリケーションを削除する指令に基づいて、削除しようとするアプリケーションの使用履歴情報を取得する。当該使用履歴情報は、ユーザが当該アプリケーションを使用する動作の記録であり、ユーザが当該削除しようとするアプリケーションをよく使うか否かを反映することができ、当該削除しようとするアプリケーションの当該ユーザにとっての重要性を現すこともできる。端末装置は、アプリケーションの使用履歴情報を取得することにより、ユーザが、使用頻度が高い、又は、重要性が比較的高いアプリケーションを削除しているか否かを確認できる。
【００３２】
ステップＳ１０３において、使用履歴情報に基づいて、対応する削除通知情報を出力する。
【００３３】
端末装置は、取得した削除しようとするアプリケーションの使用履歴情報に基づいて、ユーザが、当該削除しようとするアプリケーションをよく使うか否か、又は、当該削除しようとするアプリケーションのユーザにとっての重要性を判定する。当該削除しようとするアプリケーションの使用履歴情報に基づいて、異なる削除通知情報を出力する。
【００３４】
例えば、ユーザがめったに使わないアプリケーションを削除する場合、端末装置は、例えば、「このアプリケーションを本当に削除しますか？」のような普通の削除通知情報を出力する。ユーザがよく使うアプリケーションを削除する場合、端末装置は、重要なアプリケーションを削除していることを注意させるための特別な通知情報をユーザに出力することにより、重要性が比較的高い、または、使用頻度の高いアプリケーションを削除していることをユーザに通知する。削除しようとする、使用状況の異なるアプリケーションについて、異なる削除通知情報を出力し、ユーザによる削除の誤操作を減らし、アプリケーションデータの紛失を防止することを実現する。
【００３５】
本開示の実施例において、使用履歴情報は、使用頻度、使用回数、使用時間の中の任意の１つ以上を含むアプリケーションの使用状況パラメータ、及び／又はアプリケーションによりローカルに記憶されているデータ量を含む。端末装置は、上記使用履歴情報を用いて、複数の次元から、削除しようとするアプリケーションのユーザにとっての重要性を判定する。以下、複数の典型的な実施例を用いて、本開示のアプリケーション削除通知方法についてさらに説明する。
【００３６】
実施例１
図２に示すように、使用履歴情報がアプリケーションの使用状況パラメータを含む場合、当該アプリケーション削除通知方法は、以下のステップを含む。
【００３７】
ステップＳ２０１において、アプリケーションを削除する指令を受信する。
【００３８】
ステップＳ２０２において、アプリケーションを削除する指令に基づいて、アプリケーションの使用履歴情報を取得する。
【００３９】
当該使用履歴情報は、使用頻度、使用回数、使用時間の中の任意の１つ以上を含むアプリケーションの使用状況パラメータを含む。
【００４０】
ステップＳ２０３において、使用履歴情報に基づいて、対応する削除通知情報を出力する。当該ステップＳ２０３は、更に以下のステップを含む。
【００４１】
ステップＳ２０３ａにおいて、使用状況パラメータが該当する所定閾値以上であるか否かを判定する。使用状況パラメータが該当する所定閾値以上であると、ステップＳ２０３ｂを実行する。使用状況パラメータが該当する所定閾値より小さいと、ステップＳ２０３ｃを実行する。
【００４２】
使用状況パラメータにおける各パラメータ、例えば、使用頻度、使用回数、使用時間等の各パラメータに対して、それぞれ該当する閾値を予め設定し、アプリケーションの重要性、又は、ユーザが当該アプリケーションをよく使うか否かを判定する。
【００４３】
例えば、使用状況パラメータにおける使用頻度に対して「１回／日」の閾値を設定する場合、当該アプリケーションの使用頻度が当該「１回／日」の閾値以上であるか否かを判定する。使用回数に対して「５０回」の閾値を設定する場合、当該アプリケーションの使用回数が「５０回」の閾値を超えたか否かを判定する。使用時間に対して「３０時間」の閾値を設定する場合、当該アプリケーションの合計使用時間が「３０時間」の閾値を越えたか否かを判定する。
【００４４】
ステップＳ２０３ｂにおいて、使用状況パラメータが該当する所定閾値以上であると、所定の強調注意コンテンツを含む削除通知情報を出力する。
【００４５】
ステップＳ２０３ｃにおいて、使用状況パラメータが該当する所定閾値より小さいと、普通の削除通知情報を出力する。
【００４６】
使用状況パラメータが該当する所定閾値以上であると、端末装置は、当該アプリケーションのユーザにとっての重要性が比較的高い、又は、ユーザが当該アプリケーションをよく使うことを確認して、所定の強調注意コンテンツを含む削除通知情報を出力する。使用状況パラメータが該当する所定閾値より小さいと、端末装置は、当該アプリケーションのユーザにとっての重要性が比較的低い、又は、ユーザが当該アプリケーションをめったに使わないことを確認して、普通の削除通知情報を出力する。
【００４７】
図３に示すように、当該所定の強調注意コンテンツを含む削除通知情報は、今回の削除操作を継続実行するか否かをユーザに確認させるための通知情報３０を含むだけでなく、所定の強調注意コンテンツ３１を含む。当該所定の強調注意コンテンツ３１は、ユーザに、重要性が比較的高い、又は、よく使うアプリケーションを削除していることを通知する。例えば、図３に示した削除通知情報の所定の強調注意コンテンツ３１は、「よく使用するアプリケーションを削除していますが、それでよろしいでしょうか？」である。それに対して、普通の削除通知情報は、所定の強調注意コンテンツ３１を含まず、図３に示した、今回の削除操作を継続実行するか否かをユーザに確認させるための通知情報３０だけを含む。
【００４８】
端末装置は、使用状況パラメータに基づいて、削除しようとするアプリケーションの重要性が比較的高い、又は、使用頻度が高いと判定した場合、所定注意コンテンツを含む当該削除通知情報を出力し、ユーザに、今回の削除操作により重要性が比較的高い、又は、使用頻度が高いアプリケーションを削除するおそれがあることを通知する。これにより、ユーザによる削除の誤操作の確率を減らし、当該アプリケーションを誤って削除してユーザデータを紛失することを回避する。
【００４９】
本開示の一実施例において、図４に示すように、当該削除通知情報における所定注意コンテンツ３１は、さらに、取得した使用状況パラメータを含む。図４に示した所定注意コンテンツ３１は、当該アプリケーションの使用頻度及び使用時間等の使用状況パラメータを含む。これにより、ユーザに、当該削除しようとするアプリケーションの重要性を更に通知する。
【００５０】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定注意コンテンツに関連しており、ユーザに、重要性が比較的高い、または、使用頻度が高いアプリケーションを削除していることを直接に通知し、又は、音声にて当該削除しようとするアプリケーションの使用状況パラメータを出力することにより、ユーザによる削除の誤操作の確率を一層減らす。
【００５１】
実施例２
図５に示すように、使用履歴情報が、アプリケーションによりローカルに記憶されているデータ量を含む場合、当該アプリケーション削除通知方法は、以下のステップを含む。
【００５２】
ステップＳ３０１において、アプリケーションを削除する指令を受信する。
【００５３】
ステップＳ３０２において、前記アプリケーションを削除する指令に基づいて、前記アプリケーションの使用履歴情報を取得する。
【００５４】
当該使用履歴情報は、当該削除しようとするアプリケーションによりローカルに記憶されたデータ量を含む。端末装置は、ローカルに記憶されたデータ量に基づいて、アプリケーションの重要性が比較的高いか否か、又は、使用頻度が高いか否かを判定する。
【００５５】
ステップＳ３０３において、使用履歴情報に基づいて、対応する削除通知情報を出力する。当該ステップＳ３０３は、さらに、以下のステップを含む。
【００５６】
ステップＳ３０３ａにおいて、アプリケーションによりローカルに記憶されているデータ量が所定データ量以上であるか否かを判定する。アプリケーションによりローカルに記憶されているデータ量が所定データ量以上であると、ステップＳ３０３ｂを実行する。アプリケーションによりローカルに記憶されているデータ量が所定データ量より小さいと、ステップ３０３ｃを実行する。
【００５７】
アプリケーションがよく使われる場合、ローカルに記憶されているユーザデータがより多いので、端末装置は、削除しようとするアプリケーションによりローカルに記憶されているデータ量のサイズに基づいて、当該削除しようとするアプリケーションの重要性が比較的高いか否か、又は、使用頻度が高いか否かを判定する。例えば、端末装置は、当該削除しようとするアプリケーションによりローカルに記憶されているデータ量が所定データ量である５０Ｍ以上であるか否かを判定する。
【００５８】
ステップＳ３０３ｂにおいて、アプリケーションによりローカルに記憶されているデータ量が所定データ量以上であると、所定の強調注意コンテンツを含む削除通知情報を出力する。
【００５９】
ステップＳ３０３ｃにおいて、アプリケーションによりローカルに記憶されているデータ量が所定データ量より小さいと、普通の削除通知情報を出力する。
【００６０】
ここで、図３に示すように、当該所定の強調注意コンテンツを含む削除通知情報は、ユーザに今回の削除操作を継続実行するか否かを確認させるための通知情報３０、及び所定の強調注意コンテンツ３１を含む。上記普通の削除通知情報は、所定の強調注意コンテンツ３１を含まず、ユーザに今回の削除操作を継続実行するか否かを確認させるための通知情報３０だけを含む。
【００６１】
削除しようとするアプリケーションによりローカルに記憶されているデータ量が所定データ量以上である場合、当該削除しようとするアプリケーションの重要性が比較的高い、又は、ユーザによく使われることを確認し、図３に示すような所定注意コンテンツ３１を含む削除通知情報を出力する。削除しようとするアプリケーションによりローカルに記憶されているデータ量が所定データ量より小さい場合、当該削除しようとするアプリケーションのユーザにとっての重要性が比較的低い、又は、ユーザがめったに当該アプリケーションを使わないことを確認し、普通の削除通知情報を出力する。
【００６２】
端末装置は、当該削除しようとするアプリケーションによりローカルに記憶されているデータ量に基づいて、当該削除しようとするアプリケーションの重要性が比較的高い、又は、ユーザによく使われることを確認する場合、図３に示した所定注意コンテンツ３１を含む削除通知情報を出力し、ユーザに使用頻度の高いアプリケーションを削除していることを通知する。これにより、当該削除しようとするアプリケーションが正確であるか否かをユーザに再度確認させて、削除の誤操作が発生する確率を減らす。
【００６３】
本開示の一実施例において、図６に示すように、当該削除通知情報における所定注意コンテンツ３１は、更に当該アプリケーションによりローカルに記憶されているデータ量を含む。図６に示す所定注意コンテンツ３１において、ユーザに当該アプリケーションによりローカルに記憶されているデータ量が６０Ｍであることを通知することにより、さらに、当該削除しようとするアプリケーションの重要性が比較的高いことをユーザに通知し、ユーザに当該アプリケーションを削除するか否かを更に確かめさせる。
【００６４】
上記の文字表示の形態にて重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定注意コンテンツに関連しており、ユーザに、重要性が比較的高い、または、使用頻度が高いアプリケーションを削除していることを直接に通知し、又は、音声にて当該削除しようとするアプリケーションによりローカルに記憶されているデータ量を出力することにより、ユーザによる削除の誤操作の確率を一層減らす。
【００６５】
実施例３
図７に示すように、使用履歴情報がアプリケーションの使用状況パラメータ及びローカルに記憶されているデータ量を含む場合、当該アプリケーション削除通知方法は、以下のステップを含む。
【００６６】
ステップＳ４０１において、アプリケーションを削除する指令を受信する。
【００６７】
ステップＳ４０２において、アプリケーションを削除する指令に基づいて、アプリケーションの使用履歴情報を取得する。
【００６８】
当該使用履歴情報は、使用頻度、使用回数、使用時間の中の任意の１つ以上を含むアプリケーションの使用状況パラメータ及びローカルに記憶されているデータ量を含む。
【００６９】
ステップＳ４０３において、使用履歴情報に基づいて、対応する削除通知情報を出力する。当該ステップＳ４０３は、さらに、以下のステップを含む。
【００７０】
ステップＳ４０３ａにおいて、使用状況パラメータが該当する所定閾値以上であるか否かを判定するとともに、アプリケーションによりローカルに記憶されているデータ量が所定データ量以上であるか否かを判定する。使用状況パラメータが該当する所定閾値以上であり、且つアプリケーションによりローカルに記憶されているデータ量が所定データ量以上である場合、ステップＳ４０３ｂを実行する。使用状況パラメータが該当する所定閾値より小さい、又は、アプリケーションによりローカルに記憶されているデータ量が所定データ量より小さい場合、ステップＳ４０３ｃを実行する。
【００７１】
端末装置は、使用状況パラメータ及びローカルに記憶されているデータ量をともに用いて、当該削除しようとするアプリケーションがユーザによく使われるか否か、又は、重要性が比較的高いか否かを判定する。
【００７２】
ステップＳ４０３ｂにおいて、使用状況パラメータが該当する所定閾値以上であり、且つ、アプリケーションによりローカルに記憶されているデータ量が所定データ量以上であると、所定の強調注意コンテンツを含む削除通知情報を出力する。
【００７３】
ステップＳ４０３ｃにおいて、使用状況パラメータが該当する所定閾値より小さい、又は、アプリケーションによりローカルに記憶されているデータ量が所定データ量より小さいと、普通の削除通知情報を出力する。
【００７４】
当該削除しようとするアプリケーションの使用状況パラメータが該当する所定閾値以上であり、且つ、ローカルに記憶されているデータ量が所定データ量以上である場合、当該削除しようとするアプリケーションの重要性が比較的高い、又は、ユーザによく使われることを確認する。この場合、図３に示した所定注意コンテンツ３１を含む削除通知情報を出力し、よく使われるアプリケーションを削除していることをユーザに注意することにより、当該削除しようとするアプリケーションが正確であるか否かをユーザに更に確かめさせて、削除の誤操作の確率を減らす。
【００７５】
本開示の一実施例において、図８に示すように、当該削除通知情報における所定注意コンテンツ３１は、さらに、当該アプリケーションの使用状況パラメータ、及びローカルに記憶されているデータ量を含む。図８に示した所定注意コンテンツ３１において、ユーザに当該アプリケーションの使用頻度が「３回／日」、使用時間が「３２時間」であることを通知し、ローカルに記憶されているデータ量が６０Ｍであることを通知することにより、当該削除しようとするアプリケーションの重要性が比較的高いことをユーザにさらに注意し、当該アプリケーションを削除するか否かをユーザにさらに確かめさせる。
【００７６】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定注意コンテンツに関連しており、ユーザに、重要性が比較的高い、または、使用頻度が高いアプリケーションを削除していることを直接に通知し、又は、音声にて当該削除しようとするアプリケーションの使用状況パラメータ及び、ローカルに記憶されているデータ量を出力することにより、ユーザによる削除の誤操作の確率を一層減らす。
【００７７】
実施例４
図９に示すように、使用履歴情報がアプリケーションの使用状況パラメータ及びローカルに記憶されているデータ量を含む場合、当該アプリケーション削除通知方法は、以下のステップを含む。
【００７８】
ステップＳ５０１において、アプリケーションを削除する指令を受信する。
【００７９】
ステップＳ５０２において、アプリケーションを削除する指令に基づいて、アプリケーションの使用履歴情報を取得する。
【００８０】
ステップＳ５０３において、使用履歴情報に基づいて、対応する削除通知情報を出力する。当該ステップＳ５０３は、更に以下のステップを含む。
【００８１】
ステップＳ５０３ａにおいて、使用履歴情報に基づいて、すべてのアプリケーションにおけるアプリケーションの重要度ランクを確認する。
【００８２】
端末装置は、削除しようとするアプリケーションの使用履歴情報に基づいて、すべてのアプリケーションにおける当該削除しようとするアプリケーションの重要度ランクを確認する。当該重要度ランクは、使用履歴情報における各使用状況パラメータ及びローカルに記憶されているデータ量に基づいて得られたものである。使用状況パラメータにおいて、使用頻度が高く、使用時間が長く、使用回数が多いほど、アプリケーションの順位が高くなる。アプリケーションによりローカルに記憶されているデータ量が多いほど、その順位が高くなる。各使用状況パラメータの順位及びローカルに記憶されているデータ量の順位に基づいて、重み付け演算を行い、すべてのアプリケーションにおける各アプリケーションの重要度ランクを総合的に取得する。
【００８３】
ステップＳ５０３ｂにおいて、すべてのアプリケーションにおけるアプリケーションの重要度ランクが所定順位以上であるか否かを判定する。アプリケーションのすべてのアプリケーションにおける重要度ランクが所定順位以上であると、ステップＳ５０３ｃを実行する。アプリケーションのすべてのアプリケーションにおける重要度ランクが所定順位より低いと、ステップＳ５０３ｄを実行する。
【００８４】
ステップＳ５０３ｃにおいて、アプリケーションのすべてのアプリケーションにおける重要度ランクが所定順位以上であると、所定の強調注意コンテンツを含む削除通知情報を出力する。
【００８５】
ステップＳ５０３ｄにおいて、アプリケーションのすべてのアプリケーションにおける重要度ランクが所定順位より低いと、普通の削除通知情報を出力する。
【００８６】
すべてのアプリケーションにおける削除しようとするアプリケーションの重要度ランクが所定順位以上である場合、当該削除しようとするアプリケーションがユーザによく使われる、又は、重要性が比較的高いことを確認する。この場合、図３に示した所定注意コンテンツ３１を含む削除通知情報を出力し、よく使われるアプリケーションを削除していることをユーザに通知することにより、ユーザに、当該削除しようとするアプリケーションが正確であるか否かを再度確かめさせて、削除誤操作の確率を減らす。
【００８７】
本開示の一実施例において、図１０に示すように、当該削除通知情報における所定注意コンテンツ３１は、さらに、すべてのアプリケーションにおける当該アプリケーションの重要度ランクを含む。図１０に示した所定注意コンテンツ３１は、ユーザに当該アプリケーションが「すべてのアプリケーションの重要度ランクのうち、第３位を占める」ことを通知することにより、当該削除しようとするアプリケーションの重要性が比較的高いことをユーザに注意し、ユーザに、更に当該アプリケーションを削除するか否かを確かめさせる。
【００８８】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定注意コンテンツに関連しており、ユーザに、重要性が比較的高い、または、使用頻度が高いアプリケーションを削除していることを直接に通知し、又は、音声にて当該削除しようとするアプリケーションのすべてのアプリケーションにおける重要度ランクを出力することにより、ユーザによる削除の誤操作の確率を一層減らす。
【００８９】
上記の実施例１乃至実施例４において、ユーザに対する通知効果を更に強めるために、所定の強調注意コンテンツを含む削除通知情報を出力する場合、端末装置は、所定の強調注意コンテンツを含む削除通知情報を連続的に２回以上出力し、これにより、ユーザに通知を複数回行なう。通知の回数は、削除しようとするアプリケーションの重要程度に応じて変更でき、アプリケーションの重要性が高いほど、当該削除通知情報を出力する回数が多くなる。
【００９０】
本開示の一実施例において、アプリケーションの使用履歴情報を正確に取得するために、図１に示したアプリケーション削除通知方法において、当該ステップＳ１０１の前、図１１に示すように、当該アプリケーション削除通知方法は、更に、以下のステップを含む。
【００９１】
ステップＳ１００において、アプリケーションの使用履歴情報を記録する。
【００９２】
端末装置は、システムにインストールされた全てのアプリケーションの使用履歴情報を記録し、記録された使用履歴情報は、使用頻度、使用回数、使用時間の中の任意の１つ以上を含む使用状況パラメータ及びローカルに記憶されているデータ量を含む。
【００９３】
図１２は、例示的な実施例におけるアプリケーションの削除通知装置を模式的に示す図である。図１２を参照して、当該装置は、受信モジュール６０、取得モジュール６１、及び出力モジュール６２を備える。
【００９４】
当該受信モジュール６０は、アプリケーションを削除する指令を受信するように構成されている。
【００９５】
当該取得モジュール６１は、当該受信モジュール６０により受信したアプリケーションを削除する指令に基づいて、アプリケーションの使用履歴情報を取得するように構成されている。
【００９６】
当該出力モジュール６２は、当該取得モジュール６２により取得した使用履歴情報に基づいて、対応する削除通知情報を出力するように構成されている。
【００９７】
本開示の一実施例において、図１３に示すように、当該出力モジュール６２は、第１の判定ユニット６２０、及び第１の出力ユニット６２１を備える。
【００９８】
当該第１の判定ユニット６２０は、使用状況パラメータが該当する所定閾値以上であるか否かを判定するように構成されている。
【００９９】
当該第１の出力ユニット６２１は、当該第１の判定ユニット６２０が使用状況パラメータは該当する所定閾値以上であると判定した場合、所定の強調注意コンテンツを含む削除通知情報を出力するように構成されている。
【０１００】
本開示の一実施例において、図１４に示すように、当該出力モジュール６２は、第２の判定ユニット６２２、及び第２の出力ユニット６２３を備える。
【０１０１】
当該第２の判定ユニット６２２は、前記アプリケーションによりローカルに記憶されているデータ量が所定データ量以上であるか否かを判定するように構成されている。
【０１０２】
当該第２の出力ユニット６２３は、当該第２の判定ユニット６２２がアプリケーションによりローカルに記憶されているデータ量が所定データ量以上であると判定した場合、所定の強調注意コンテンツを含む削除通知情報を出力するように構成されている。
【０１０３】
本開示の一実施例において、図１５に示すように、当該出力モジュール６２は、第３の判定ユニット６２４又は第３の出力ユニット６２５を含む。
【０１０４】
当該第３の判定ユニット６２４は、使用状況パラメータが該当する所定閾値以上であるか否かを判定するとともに、アプリケーションによりローカルに記憶されているデータ量が所定データ量以上であるか否かを判定するように構成されている。
【０１０５】
当該第３の出力ユニット６２５は、当該第３の判定ユニット６２４が使用状況パラメータが該当する所定閾値以上であると判定するとともに、アプリケーションによりローカルに記憶されているデータ量が所定データ量以上であると判定した場合、所定の強調注意コンテンツを含む削除通知情報を出力するように構成されている。
【０１０６】
本開示の一実施例において、図１６に示すように、当該出力モジュール６２は、確認ユニット６２６、第４の判定ユニット６２７、及び第４の出力ユニット６２８を含む。
【０１０７】
当該確認ユニット６２６は、使用履歴情報に基づいて、すべてのアプリケーションにおけるアプリケーションの重要度ランクを確認するように構成されている。
【０１０８】
当該第４の判定ユニット６２７は、当該確認ユニット６２６が確認した全てのアプリケーションにおけるアプリケーションの重要度ランクが所定順位以上であるか否かを判定するように構成されている。
【０１０９】
当該第４の出力ユニット６２８は、当該第４の判定ユニット６２７が全てのアプリケーションにおけるアプリケーションの重要度ランクが所定順位以上であると判定した場合、所定の強調注意コンテンツを含む削除通知情報を出力するように構成されている。
【０１１０】
本開示の一実施例において、図１７に示すように、当該アプリケーションの削除通知装置は、さらに、記録モジュール６３を備える。
【０１１１】
当該記録モジュール６３は、当該取得モジュール６１により取得したアプリケーションの使用履歴情報を記録するように構成されている。
【０１１２】
上記の実施例に係る装置に関して、各モジュールが操作を実行する具体的な形態は、既に当該方法に係る実施例で詳細に記載されているので、ここでは、詳細な説明を省略する。
【０１１３】
図１８は例示的な実施例におけるアプリケーション削除通知装置８００を示すブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１１４】
図１８を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【０１１５】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これによって命令を実行することにより、上記の方法の全部、或は一部のステップを実現するようにしてもよい。なお、プロセスアセンブリ８０２は、一つ以上のモジュールを含み、これによってプロセスアセンブリ８０２と他のアセンブリの間のインタラクションを容易にするようにしてもよい。例えば、プロセスアセンブリ８０２は、マルチメディアモジュールを含み、これによってマルチメディアアセンブリ８０８とプロセスアセンブリ８０２の間のインタラクションを容易にするようにしてもよい。
【０１１６】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いかなる種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１１７】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１１８】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ８０８は、一つのフロントカメラ、及び／又はリアカメラを含む。装置８００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１１９】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１２０】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。このボタンは、ホームボタン、ボリュームボタン、起動ボタン、ロッキングボタンを含んでもよいが、これらに限定されない。
【０１２１】
センサアセンブリ８１４は、装置８００に各方面の状態に対する評価を提供するための一つ以上のセンサを含む。例えば、センサアセンブリ８１４は、装置８００の開／閉状態、装置８００のディスプレイとキーパッドのようなアセンブリの相対的な位置決めを検出できる。また、例えば、センサアセンブリ８１４は、装置８００、或いは装置８００の一つのアセンブリの位置変更、ユーザと装置８００とが接触しているか否か、装置８００の方位、又は加速／減速、装置８００の温度の変化を検出できる。センサアセンブリ８１４は、いかなる物理的接触がない状態にて付近の物体の存在を検出するための近接センサを含んでもよい。センサアセンブリ８１４は、撮影アプリケーションに適用するため、ＣＭＯＳ、又はＣＣＤイメージセンサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１２２】
通信アセンブリ８１６は、装置８００と他の機器の間に有線、又は無線形態の通信を提供する。装置８００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１２３】
例示的な実施例において、装置８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２４】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピー（登録商標）ディスク、光データ記憶デバイス等である。
【０１２５】
非一時的なコンピュータで読み取り可能な記憶媒体は、当該記録媒体中の指令がモバイル端末のプロセッサによって実行される際に、携帯端末にアプリケーション削除通知方法を実行させることができる。前記方法は、
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む。
前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む。
【０１２６】
前記使用履歴情報が前記アプリケーションの使用状況パラメータを含む場合、前記使用履歴情報に基づいて、対応する削除通知情報を出力するステップは、
前記使用状況パラメータが該当する所定閾値以上であるか否かを判定するステップと、
前記使用状況パラメータが該当する所定閾値以上であると、所定の強調注意コンテンツを含む削除通知情報を出力するステップとを含む。
【０１２７】
前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上である場合、所定の強調注意コンテンツを含む削除通知情報を出力するステップと、を含む。
【０１２８】
前記使用履歴情報が前記アプリケーションの使用状況パラメータと前記アプリケーションによりローカルに記憶されているデータ量とを含む場合、前記使用履歴情報に基づいて、対応する削除通知情報を出力するステップは、
前記使用状況パラメータが該当する所定閾値以上であるか否かを判定するとともに、前記アプリケーションによりローカルに記憶されているデータ量が所定データ量以上であるか否かを判定するステップと、
前記使用状況パラメータが該当する所定閾値以上であるとともに、前記アプリケーションによりローカルに記憶されているデータ量が所定データ量以上である場合、所定の強調注意コンテンツを含む削除通知情報を出力するステップと、を含む。
【０１２９】
前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上である場合、所定の強調注意コンテンツを含む削除通知情報を出力するステップと、を含む。
【０１３０】
所定の強調注意コンテンツを含む削除通知情報を出力するステップは、
前記所定の強調注意コンテンツを含む削除通知情報を２回連続に出力するステップを含む。
【０１３１】
所定の強調注意コンテンツを含む削除通知情報を出力するステップは、
前記削除通知情報における所定の強調注意コンテンツを文字及び／又は音声で通知するステップを含む。
【０１３２】
前記所定の強調注意コンテンツは、前記使用履歴情報を含む。
【０１３３】
アプリケーションを削除する指令を受信するステップの前、前記方法は、
前記アプリケーションの使用履歴情報を記録するステップを含む。
【０１３４】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３５】
本発明は、上記において開示された構成又は図面に示した構造に限定されるものではなく、本発明の範囲内であれば、様々な補正又は変更を行うことができる。本発明の範囲は、特許請求の範囲により制限される。
【０１３６】
本願は、出願番号が２０１４１０２６２１５５．２であって、出願日が２０１４年６月１２日である中国特許出願に基づいて優先権を主張し、当該中国特許出願のすべての内容を本願に援用する。
【図１】
2016532187.tif 000003
【図２】
2016532187.tif 000004
【図３】
2016532187.tif 000005
【図４】
2016532187.tif 000006
【図５】
2016532187.tif 000007
【図６】
2016532187.tif 000008
【図７】
2016532187.tif 000009
【図８】
2016532187.tif 000010
【図９】
2016532187.tif 000011
【図１０】
2016532187.tif 000012
【図１１】
2016532187.tif 000013
【図１２】
2016532187.tif 000014
【図１３】
2016532187.tif 000015
【図１４】
2016532187.tif 000016
【図１５】
2016532187.tif 000017
【図１６】
2016532187.tif 000018
【図１７】
2016532187.tif 000019
【図１８】
2016532187.tif 000020
【手続補正書】
【提出日】平成27年1月19日(2015.1.19)
【手続補正１】
【補正対象書類名】特許請求の範囲
【補正対象項目名】全文
【補正方法】変更
【補正の内容】
【特許請求の範囲】
【請求項１】
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む
ことを特徴とするアプリケーション削除通知方法。
【請求項２】
前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む
ことを特徴とする請求項１に記載の方法。
【請求項３】
前記使用履歴情報が前記アプリケーションの使用状況パラメータを含む場合、前記使用履歴情報に基づいて、対応する削除通知情報を出力するステップは、
前記使用状況パラメータが所定閾値以上であるか否かを判定するステップと、
前記使用状況パラメータが前記所定閾値以上であると、所定の強調注意コンテンツを含む削除通知情報を出力するステップと、を含む
ことを特徴とする請求項２に記載の方法。
【請求項４】
前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上であると、所定の強調注意コンテンツを含む削除通知情報を出力するステップと、を含む
ことを特徴とする請求項２に記載の方法。
【請求項５】
前記使用履歴情報が前記アプリケーションの使用状況パラメータ及び前記アプリケーションによりローカルに記憶されているデータ量を含む場合、前記使用履歴情報に基づいて、対応する削除通知情報を出力するステップは、
前記使用状況パラメータが所定閾値以上であるか否かを判定するとともに、前記アプリケーションによりローカルに記憶されているデータ量が所定データ量以上であるか否かを判定するステップと、
前記使用状況パラメータが前記所定閾値以上であり、且つ、前記アプリケーションによりローカルに記憶されているデータ量が所定データ量以上であると、所定の強調注意コンテンツを含む削除通知情報を出力するステップと、を含む
ことを特徴とする請求項２に記載の方法。
【請求項６】
前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上であると、所定の強調注意コンテンツを含む削除通知情報を出力するステップと、を含む
ことを特徴とする請求項１に記載の方法。
【請求項７】
所定の強調注意コンテンツを含む削除通知情報を出力するステップは、
前記所定の強調注意コンテンツを含む削除通知情報を２回連続に出力するステップを含む
ことを特徴とする請求項３〜６のいずれか１項に記載の方法。
【請求項８】
所定の強調注意コンテンツを含む削除通知情報を出力するステップは、
前記削除通知情報における所定の強調注意コンテンツを文字及び／又は音声で通知するステップを含む
ことを特徴とする請求項３〜６のいずれか１項に記載の方法。
【請求項９】
前記所定の強調注意コンテンツは、前記使用履歴情報を含む
ことを特徴とする請求項８に記載の方法。
【請求項１０】
前記アプリケーションを削除する指令を受信するステップの前に、さらに、
前記アプリケーションの使用履歴情報を記録するステップを含む
ことを特徴とする請求項１に記載の方法。
【請求項１１】
アプリケーションを削除する指令を受信するための受信モジュールと、
前記受信モジュールにより受信したアプリケーションを削除する指令に基づいて、前記アプリケーションの使用履歴情報を取得するための取得モジュールと、
前記取得モジュールにより取得した使用履歴情報に基づいて、対応する削除通知情報を出力するための出力モジュールと、を含む
ことを特徴とするアプリケーション削除通知装置。
【請求項１２】
前記使用履歴情報が、使用頻度、使用回数、使用時間の中の任意の１つ以上を含む前記アプリケーションの使用状況パラメータを含む場合、前記出力モジュールは、
前記使用状況パラメータが所定閾値以上であるか否かを判定するための第１の判定ユニットと、
前記第１の判定ユニットが前記使用状況パラメータが前記所定閾値以上であると判定した場合、所定の強調注意コンテンツを含む削除通知情報を出力するための第１の出力ユニットと、を含む
ことを特徴とする請求項１１に記載の装置。
【請求項１３】
前記使用履歴情報が、前記アプリケーションによりローカルに記憶されているデータ量を含む場合、前記出力モジュールは、
前記アプリケーションによってローカルに記憶されているデータ量が所定データ量以上であるか否かを判定するための第２の判定ユニットと、
前記第２の判定ユニットが前記アプリケーションによってローカルに記憶されているデータ量が所定データ量以上であると判定した場合、所定の強調注意コンテンツを含む削除通知情報を出力するための第２の出力ユニットと、を含む
ことを特徴とする請求項１１に記載の装置。
【請求項１４】
前記使用履歴情報が、使用頻度、使用回数、使用時間の中の任意の１つ以上を含む前記アプリケーションの使用状況パラメータ、及び前記アプリケーションによりローカルに記憶されているデータ量を含む場合、前記出力モジュールは、
前記使用状況パラメータが所定閾値以上であるか否かを判定するとともに、前記アプリケーションによってローカルに記憶されているデータ量が所定データ量以上であるか否かを判定するための第３の判定ユニットと、
前記第３の判定ユニットが前記使用状況パラメータが前記所定閾値以上であると判定するとともに、前記アプリケーションによってローカルに記憶されているデータ量が所定データ量以上であると判定した場合、所定の強調注意コンテンツを含む削除通知情報を出力するための第３の出力ユニットと、を含む
ことを特徴とする請求項１１に記載の装置。
【請求項１５】
前記出力モジュールは、
前記使用履歴情報に基づいて、全てのアプリケーションにおける前記アプリケーションの重要度ランクを確認するための確認ユニットと、
前記確認ユニットにより確認された全てのアプリケーションにおける前記アプリケーションの重要度ランクが所定順位以上であるか否かを判定するための第４の判定ユニットと、
前記第４の判定ユニットが全てのアプリケーションにおける前記アプリケーションの重要度ランクが所定順位以上であると判定した場合、所定の強調注意コンテンツを含む削除通知情報を出力するための第４の出力ユニットと、を含む
ことを特徴とする請求項１１に記載の装置。
【請求項１６】
さらに、
前記取得モジュールにより取得された前記アプリケーションの使用履歴情報を記録するための記録モジュールを含む
ことを特徴とする請求項１１に記載の装置。
【請求項１７】
プロセッサと、
前記プロセッサにより実行可能な指令を記憶するためのメモリと、を含み、
前記プロセッサは、
アプリケーションを削除する指令を受信し、
前記アプリケーションを削除する指令に基づいて、前記アプリケーションの使用履歴情報を取得し、
前記使用履歴情報に基づいて、対応する削除通知情報を出力する
ことを特徴とするアプリケーション削除通知装置。
【請求項１８】
プロセッサに実行されることにより、請求項１〜１０のいずれか１項に記載のアプリケーション削除通知方法を実現することを特徴とするプログラム。
【請求項１９】
請求項１８に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本開示は、モバイル通信技術分野に関し、特に、アプリケーション削除通知方法、アプリケーション削除通知装置、プログラム及び記録媒体に関する。
【背景技術】
【０００２】
スマート端末は、ユーザの必要に応じてアプリケーションを任意にインストール又は削除することができる。ユーザは、スマート端末からめったに使わない、又は、好きではないアプリケーションを削除する。しかしながら、誤操作により、削除するつもりの無いアプリケーションを誤って削除してしまうこともありえる。
【０００３】
アプリケーションが削除されたら、スマート端末における当該アプリケーションのローカルデータもともに削除されてしまう。したがって、削除するつもりの無いアプリケーションを誤って削除してしまった場合、ローカルのアプリケーションデータの紛失を招来し、当該アプリケーションを再びインストールしたとしても、紛失したデータを復元できない。
【０００４】
ユーザがアプリケーションを削除するとき、画面に通知のポップアップが表示されて、ユーザが当該アプリケーションを削除するか否かを確認する。しかしながら、当該通知のコンテンツが単純すぎるので、ユーザは、削除するつもりのないアプリケーションを誤って選択しても、当該通知によって削除の対象を誤ったことを気づけず、ローカルデータを紛失してしまう。
【発明の概要】
【０００５】
関連技術における問題点を解消するために、本開示は、ユーザがアプリケーションを削除する動作により適切な通知を提供することにより、ユーザによる削除の誤操作を減少できるアプリケーション削除通知方法、アプリケーション削除通知装置、プログラム及び記録媒体を提供する。
【０００６】
本開示に係る実施例の第１態様によれば、アプリケーション削除通知方法を提供し、当該アプリケーション削除通知方法は、
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む。
【０００７】
削除しようとする異なるアプリケーションについて、異なる削除通知情報を出力し、ユーザによる削除の誤操作を減らし、アプリケーションデータの紛失を防止することを実現する。
【０００８】
好ましくは、前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む。複数の次元によって、削除しようとするアプリケーションがよく使われるか否か、または、その重要性が比較的高いか否かを判定する。
【０００９】
好ましくは、前記使用履歴情報が前記アプリケーションの使用状況パラメータを含む場合、前記使用履歴情報に基づいて、対応する削除通知情報を出力するステップは、
前記使用状況パラメータが該当する所定閾値以上であるか否かを判定するステップと、
前記使用状況パラメータが該当する所定閾値以上であると、所定の強調注意コンテンツを含む削除通知情報を出力するステップと、を含む。使用状況パラメータに基づいて、削除しようとするアプリケーションがよく使われるか否か、又は、その重要性が比較的高いか否かを判定し、削除の誤操作が発生する確率を減らす。
【００１０】
好ましくは、前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上であると、所定の強調注意コンテンツを含む削除通知情報を出力するステップと、を含む。ローカルに記憶されているデータ量に基づいて、削除しようとするアプリケーションがよく使われるか否か、又はその重要性が比較的高いか否かを判定し、削除の誤操作が発生する確率を減らす。
【００１１】
好ましくは、前記使用履歴情報が前記アプリケーションの使用状況パラメータ及び前記アプリケーションによりローカルに記憶されているデータ量を含む場合、前記使用履歴情報に基づいて、対応する削除通知情報を出力するステップは、
前記使用状況パラメータが該当する所定閾値以上であるか否かを判定するとともに、前記アプリケーションによりローカルに記憶されているデータ量が所定データ量以上であるか否かを判定するステップと、
前記使用状況パラメータが該当する所定閾値以上であり、且つ、前記アプリケーションによりローカルに記憶されているデータ量が所定データ量以上であると、所定の強調注意コンテンツを含む削除通知情報を出力するステップと、を含む。同時に、使用状況パラメータとローカルに記憶されているデータ量に基づいて、削除しようとするアプリケーションがよく使われるか否か、又はその重要性が比較的高いか否かを判定し、削除の誤操作が発生する確率をさらに減らす。
【００１２】
好ましくは、前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上であると、所定の強調注意コンテンツを含む削除通知情報を出力するステップと、を含む。システムの算出した重要度ランクに基づいて、削除しようとするアプリケーションの重要性が比較的高いか否かを判定し、削除の誤操作が発生する確率を減らす。
【００１３】
好ましくは、所定の強調注意コンテンツを含む削除通知情報を出力するステップは、
前記所定の強調注意コンテンツを含む削除通知情報を２回連続に出力するステップを含む。アプリケーションの重要性に基づいて、ユーザに複数回通知する。
【００１４】
好ましくは、所定の強調注意コンテンツを含む削除通知情報を出力するステップは、
前記削除通知情報における所定の強調注意コンテンツを文字及び／又は音声で通知するステップを含む。同時に音声及び文字でユーザに通知し、削除の誤操作が発生する確率をさらに減らす。
【００１５】
好ましくは、前記所定の強調注意コンテンツは、前記使用履歴情報を含む。ユーザが当該アプリケーションの重要度を了解する。
【００１６】
好ましくは、アプリケーションを削除する指令を受信するステップの前に、さらに、
前記アプリケーションの使用履歴情報を記録するステップを含む。これにより、よく使われる、又は、重要性が比較的高いアプリケーションを判定する。
【００１７】
本開示に係る実施例の第２の態様によれば、アプリケーションの削除通知装置を提供し、当該アプリケーションの削除通知装置は、
アプリケーションを削除する指令を受信するための受信モジュールと、
前記受信モジュールにより受信したアプリケーションを削除する指令に基づいて、前記アプリケーションの使用履歴情報を取得するための取得モジュールと、
前記取得モジュールにより取得した使用履歴情報に基づいて、対応する削除通知情報を出力するための出力モジュールと、を含む。
【００１８】
好ましくは、前記出力モジュールは、
前記使用状況パラメータが該当する所定閾値以上であるか否かを判定するための第１の判定ユニットと、
前記第１の判定ユニットが、前記使用状況パラメータが該当する所定閾値以上であると判定した場合、所定の強調注意コンテンツを含む削除通知情報を出力するための第１の出力ユニットと、を含む。
【００１９】
好ましくは、前記出力モジュールは、
前記アプリケーションによりローカルに記憶されているデータ量が所定データ量以上であるか否かを判定するための第２の判定ユニットと、
前記第２の判定ユニットが、前記アプリケーションによりローカルに記憶されているデータ量が所定データ量以上であると判定した場合、所定の強調注意コンテンツを含む削除通知情報を出力するための第２の出力ユニットと、を含む。
【００２０】
好ましくは、前記出力モジュールは、
前記使用状況パラメータが該当する所定閾値以上であるか否かを判定するとともに、前記アプリケーションによりローカルに記憶されているデータ量が所定データ量以上であるか否かを判定するための第３の判定ユニットと、
前記第３の判定ユニットが、前記使用状況パラメータが該当する所定閾値以上であると判定するとともに、前記アプリケーションによりローカルに記憶されているデータ量が所定データ量以上であると判定した場合、所定の強調注意コンテンツを含む削除通知情報を出力するための第３の出力ユニットと、を含む。
【００２１】
好ましくは、前記出力モジュールは、
前記使用履歴情報に基づいて、全てのアプリケーションにおける前記アプリケーションの重要度ランクを確認するための確認ユニットと、
前記確認ユニットにより確認された全てのアプリケーションにおける前記アプリケーションの重要度ランクが所定順位以上であるか否かを判定するための第４の判定ユニットと、
前記第４の判定ユニットが、全てのアプリケーションにおける前記アプリケーションの重要度ランクが所定順位以上であると判定した場合、所定の強調注意コンテンツを含む削除通知情報を出力するための第４の出力ユニットと、を含む。
【００２２】
好ましくは、前記装置は、さらに、
前記取得モジュールにより取得された前記アプリケーションの使用履歴情報を記録するための記録モジュールを含む。
【００２３】
本開示に係る実施例の第３の態様によれば、アプリケーション削除通知装置を提供し、当該アプリケーション削除通知装置は、
プロセッサと、
プロセッサにより実行可能な指令を記憶するためのメモリと、を含み、
前記プロセッサは、
アプリケーションを削除する指令を受信し、
前記アプリケーションを削除する指令に基づいて、前記アプリケーションの使用履歴情報を取得し、
前記使用履歴情報に基づいて、対応する削除通知情報を出力する。
【００２４】
本開示に係る実施例の第４の態様によれば、プロセッサに実行されることにより、前記アプリケーション削除通知方法を実現するプログラムを提供する。
【００２５】
本開示に係る実施例の第５の態様によれば、前記プログラムが記録された記録媒体を提供する。
【００２６】
本開示の実施例に係る技術案は、以下の有益な効果を有する。
端末装置が使用される状況が異なるとき、削除しようとするアプリケーションに対して異なる削除通知情報を出力し、ユーザによる削除誤操作を減らし、アプリケーションデータの紛失を防止する。使用状況パラメータ、ローカルに記憶されているデータ量に基づいて、アプリケーションの重要性を判定するとともに、削除通知を表示し、又は音声で放送することにより、ユーザによる削除の誤操作の確率を減らす。
【００２７】
以上の一般的な記述及び以下の詳細な記述は、例示のものに過ぎず、本開示を限定するものではないと理解すべきである。
【図面の簡単な説明】
【００２８】
ここでの図面は、明細書の一部分として明細書全体を構成することにより、本開示に合致する実施例を例示するとともに、本開示の原理を解釈するためのものである。
【図１】例示的な実施例におけるアプリケーション削除通知方法を示すフローチャートである。
【図２】例示的な実施例におけるアプリケーション削除通知方法を示すフローチャートである。
【図３】例示的な実施例における削除通知情報を出力するときの画面を模式的に示す図である。
【図４】例示的な実施例における削除通知情報を出力するときの画面を模式的に示す図である。
【図５】例示的な実施例におけるアプリケーション削除通知方法を示すフローチャートである。
【図６】例示的な実施例における削除通知情報を出力するときの画面を模式的に示す図である。
【図７】例示的な実施例におけるアプリケーション削除通知方法を示すフローチャートである。
【図８】例示的な実施例における削除通知情報を出力するときの画面を模式的に示す図である。
【図９】例示的な実施例におけるアプリケーション削除通知方法を示すフローチャートである。
【図１０】例示的な実施例における削除通知情報を出力するときの画面を模式的に示す図である。
【図１１】例示的な実施例におけるアプリケーション削除通知方法を示すフローチャートである。
【図１２】例示的な実施例におけるアプリケーション削除通知装置を示すブロック図である。
【図１３】例示的な実施例における出力モジュールを示すブロック図である。
【図１４】例示的な実施例における出力モジュールを示すブロック図である。
【図１５】例示的な実施例における出力モジュールを示すブロック図である。
【図１６】例示的な実施例における出力モジュールを示すブロック図である。
【図１７】例示的な実施例におけるアプリケーション削除通知装置を示すブロック図である。
【図１８】例示的な実施例におけるアプリケーション削除通知装置を示すブロック図である。
【発明を実施するための形態】
【００２９】
ここで、図面に示された例示的な実施例を詳細に説明する。以下の内容において、図面を言及するとき、特に説明しない限り、異なる図面における同じ数字が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の態様と一致する装置及び方法の例にすぎない。
【００３０】
図１は、例示的な実施例におけるアプリケーション削除通知方法を示すフローチャートである。図１に示すように、アプリケーション削除通知方法は、端末装置に用いられ、以下のステップを含む。
【００３１】
ステップＳ１０１において、アプリケーションを削除する指令を受信する。当該アプリケーションを削除する指令は、ユーザの端末装置におけるアプリケーションに対する削除操作に対応するものである。
【００３２】
ステップＳ１０２において、アプリケーションを削除する指令に基づいて、アプリケーションの使用履歴情報を取得する。
【００３３】
端末装置は、受信したアプリケーションを削除する指令に基づいて、削除しようとするアプリケーションの使用履歴情報を取得する。当該使用履歴情報は、ユーザが当該アプリケーションを使用する動作の記録であり、ユーザが当該削除しようとするアプリケーションをよく使うか否かを反映することができ、当該削除しようとするアプリケーションの当該ユーザにとっての重要性を現すこともできる。端末装置は、アプリケーションの使用履歴情報を取得することにより、ユーザが、使用頻度が高い、又は、重要性が比較的高いアプリケーションを削除しているか否かを確認できる。
【００３４】
ステップＳ１０３において、使用履歴情報に基づいて、対応する削除通知情報を出力する。
【００３５】
端末装置は、取得した削除しようとするアプリケーションの使用履歴情報に基づいて、ユーザが、当該削除しようとするアプリケーションをよく使うか否か、又は、当該削除しようとするアプリケーションのユーザにとっての重要性を判定する。当該削除しようとするアプリケーションの使用履歴情報に基づいて、異なる削除通知情報を出力する。
【００３６】
例えば、ユーザがめったに使わないアプリケーションを削除する場合、端末装置は、例えば、「このアプリケーションを本当に削除しますか？」のような普通の削除通知情報を出力する。ユーザがよく使うアプリケーションを削除する場合、端末装置は、重要なアプリケーションを削除していることを注意させるための特別な通知情報をユーザに出力することにより、重要性が比較的高い、または、使用頻度の高いアプリケーションを削除していることをユーザに通知する。削除しようとする、使用状況の異なるアプリケーションについて、異なる削除通知情報を出力し、ユーザによる削除の誤操作を減らし、アプリケーションデータの紛失を防止することを実現する。
【００３７】
本開示の実施例において、使用履歴情報は、使用頻度、使用回数、使用時間の中の任意の１つ以上を含むアプリケーションの使用状況パラメータ、及び／又はアプリケーションによりローカルに記憶されているデータ量を含む。端末装置は、上記使用履歴情報を用いて、複数の次元から、削除しようとするアプリケーションのユーザにとっての重要性を判定する。以下、複数の典型的な実施例を用いて、本開示のアプリケーション削除通知方法についてさらに説明する。
【００３８】
実施例１
図２に示すように、使用履歴情報がアプリケーションの使用状況パラメータを含む場合、当該アプリケーション削除通知方法は、以下のステップを含む。
【００３９】
ステップＳ２０１において、アプリケーションを削除する指令を受信する。
【００４０】
ステップＳ２０２において、アプリケーションを削除する指令に基づいて、アプリケーションの使用履歴情報を取得する。
【００４１】
当該使用履歴情報は、使用頻度、使用回数、使用時間の中の任意の１つ以上を含むアプリケーションの使用状況パラメータを含む。
【００４２】
ステップＳ２０３において、使用履歴情報に基づいて、対応する削除通知情報を出力する。当該ステップＳ２０３は、更に以下のステップを含む。
【００４３】
ステップＳ２０３ａにおいて、使用状況パラメータが該当する所定閾値以上であるか否かを判定する。使用状況パラメータが該当する所定閾値以上であると、ステップＳ２０３ｂを実行する。使用状況パラメータが該当する所定閾値より小さいと、ステップＳ２０３ｃを実行する。
【００４４】
使用状況パラメータにおける各パラメータ、例えば、使用頻度、使用回数、使用時間等の各パラメータに対して、それぞれ該当する閾値を予め設定し、アプリケーションの重要性、又は、ユーザが当該アプリケーションをよく使うか否かを判定する。
【００４５】
例えば、使用状況パラメータにおける使用頻度に対して「１回／日」の閾値を設定する場合、当該アプリケーションの使用頻度が当該「１回／日」の閾値以上であるか否かを判定する。使用回数に対して「５０回」の閾値を設定する場合、当該アプリケーションの使用回数が「５０回」の閾値を超えたか否かを判定する。使用時間に対して「３０時間」の閾値を設定する場合、当該アプリケーションの合計使用時間が「３０時間」の閾値を越えたか否かを判定する。
【００４６】
ステップＳ２０３ｂにおいて、使用状況パラメータが該当する所定閾値以上であると、所定の強調注意コンテンツを含む削除通知情報を出力する。
【００４７】
ステップＳ２０３ｃにおいて、使用状況パラメータが該当する所定閾値より小さいと、普通の削除通知情報を出力する。
【００４８】
使用状況パラメータが該当する所定閾値以上であると、端末装置は、当該アプリケーションのユーザにとっての重要性が比較的高い、又は、ユーザが当該アプリケーションをよく使うことを確認して、所定の強調注意コンテンツを含む削除通知情報を出力する。使用状況パラメータが該当する所定閾値より小さいと、端末装置は、当該アプリケーションのユーザにとっての重要性が比較的低い、又は、ユーザが当該アプリケーションをめったに使わないことを確認して、普通の削除通知情報を出力する。
【００４９】
図３に示すように、当該所定の強調注意コンテンツを含む削除通知情報は、今回の削除操作を継続実行するか否かをユーザに確認させるための通知情報３０を含むだけでなく、所定の強調注意コンテンツ３１を含む。当該所定の強調注意コンテンツ３１は、ユーザに、重要性が比較的高い、又は、よく使うアプリケーションを削除していることを通知する。例えば、図３に示した削除通知情報の所定の強調注意コンテンツ３１は、「よく使用するアプリケーションを削除していますが、それでよろしいでしょうか？」である。それに対して、普通の削除通知情報は、所定の強調注意コンテンツ３１を含まず、図３に示した、今回の削除操作を継続実行するか否かをユーザに確認させるための通知情報３０だけを含む。
【００５０】
端末装置は、使用状況パラメータに基づいて、削除しようとするアプリケーションの重要性が比較的高い、又は、使用頻度が高いと判定した場合、所定強調注意コンテンツを含む当該削除通知情報を出力し、ユーザに、今回の削除操作により重要性が比較的高い、又は、使用頻度が高いアプリケーションを削除するおそれがあることを通知する。これにより、ユーザによる削除の誤操作の確率を減らし、当該アプリケーションを誤って削除してユーザデータを紛失することを回避する。
【００５１】
本開示の一実施例において、図４に示すように、当該削除通知情報における所定強調注意コンテンツ３１は、さらに、取得した使用状況パラメータを含む。図４に示した所定強調注意コンテンツ３１は、当該アプリケーションの使用頻度及び使用時間等の使用状況パラメータを含む。これにより、ユーザに、当該削除しようとするアプリケーションの重要性を更に通知する。
【００５２】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定強調注意コンテンツに関連しており、ユーザに、重要性が比較的高い、または、使用頻度が高いアプリケーションを削除していることを直接に通知し、又は、音声にて当該削除しようとするアプリケーションの使用状況パラメータを出力することにより、ユーザによる削除の誤操作の確率を一層減らす。
【００５３】
実施例２
図５に示すように、使用履歴情報が、アプリケーションによりローカルに記憶されているデータ量を含む場合、当該アプリケーション削除通知方法は、以下のステップを含む。
【００５４】
ステップＳ３０１において、アプリケーションを削除する指令を受信する。
【００５５】
ステップＳ３０２において、前記アプリケーションを削除する指令に基づいて、前記アプリケーションの使用履歴情報を取得する。
【００５６】
当該使用履歴情報は、当該削除しようとするアプリケーションによりローカルに記憶されたデータ量を含む。端末装置は、ローカルに記憶されたデータ量に基づいて、アプリケーションの重要性が比較的高いか否か、又は、使用頻度が高いか否かを判定する。
【００５７】
ステップＳ３０３において、使用履歴情報に基づいて、対応する削除通知情報を出力する。当該ステップＳ３０３は、さらに、以下のステップを含む。
【００５８】
ステップＳ３０３ａにおいて、アプリケーションによりローカルに記憶されているデータ量が所定データ量以上であるか否かを判定する。アプリケーションによりローカルに記憶されているデータ量が所定データ量以上であると、ステップＳ３０３ｂを実行する。アプリケーションによりローカルに記憶されているデータ量が所定データ量より小さいと、ステップ３０３ｃを実行する。
【００５９】
アプリケーションがよく使われる場合、ローカルに記憶されているユーザデータがより多いので、端末装置は、削除しようとするアプリケーションによりローカルに記憶されているデータ量のサイズに基づいて、当該削除しようとするアプリケーションの重要性が比較的高いか否か、又は、使用頻度が高いか否かを判定する。例えば、端末装置は、当該削除しようとするアプリケーションによりローカルに記憶されているデータ量が所定データ量である５０Ｍ以上であるか否かを判定する。
【００６０】
ステップＳ３０３ｂにおいて、アプリケーションによりローカルに記憶されているデータ量が所定データ量以上であると、所定の強調注意コンテンツを含む削除通知情報を出力する。
【００６１】
ステップＳ３０３ｃにおいて、アプリケーションによりローカルに記憶されているデータ量が所定データ量より小さいと、普通の削除通知情報を出力する。
【００６２】
ここで、図３に示すように、当該所定の強調注意コンテンツを含む削除通知情報は、ユーザに今回の削除操作を継続実行するか否かを確認させるための通知情報３０、及び所定の強調注意コンテンツ３１を含む。上記普通の削除通知情報は、所定の強調注意コンテンツ３１を含まず、ユーザに今回の削除操作を継続実行するか否かを確認させるための通知情報３０だけを含む。
【００６３】
削除しようとするアプリケーションによりローカルに記憶されているデータ量が所定データ量以上である場合、当該削除しようとするアプリケーションの重要性が比較的高い、又は、ユーザによく使われることを確認し、図３に示すような所定強調注意コンテンツ３１を含む削除通知情報を出力する。削除しようとするアプリケーションによりローカルに記憶されているデータ量が所定データ量より小さい場合、当該削除しようとするアプリケーションのユーザにとっての重要性が比較的低い、又は、ユーザがめったに当該アプリケーションを使わないことを確認し、普通の削除通知情報を出力する。
【００６４】
端末装置は、当該削除しようとするアプリケーションによりローカルに記憶されているデータ量に基づいて、当該削除しようとするアプリケーションの重要性が比較的高い、又は、ユーザによく使われることを確認する場合、図３に示した所定強調注意コンテンツ３１を含む削除通知情報を出力し、ユーザに使用頻度の高いアプリケーションを削除していることを通知する。これにより、当該削除しようとするアプリケーションが正確であるか否かをユーザに再度確認させて、削除の誤操作が発生する確率を減らす。
【００６５】
本開示の一実施例において、図６に示すように、当該削除通知情報における所定強調注意コンテンツ３１は、更に当該アプリケーションによりローカルに記憶されているデータ量を含む。図６に示す所定強調注意コンテンツ３１において、ユーザに当該アプリケーションによりローカルに記憶されているデータ量が６０Ｍであることを通知することにより、さらに、当該削除しようとするアプリケーションの重要性が比較的高いことをユーザに通知し、ユーザに当該アプリケーションを削除するか否かを更に確かめさせる。
【００６６】
上記の文字表示の形態にて重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定強調注意コンテンツに関連しており、ユーザに、重要性が比較的高い、または、使用頻度が高いアプリケーションを削除していることを直接に通知し、又は、音声にて当該削除しようとするアプリケーションによりローカルに記憶されているデータ量を出力することにより、ユーザによる削除の誤操作の確率を一層減らす。
【００６７】
実施例３
図７に示すように、使用履歴情報がアプリケーションの使用状況パラメータ及びローカルに記憶されているデータ量を含む場合、当該アプリケーション削除通知方法は、以下のステップを含む。
【００６８】
ステップＳ４０１において、アプリケーションを削除する指令を受信する。
【００６９】
ステップＳ４０２において、アプリケーションを削除する指令に基づいて、アプリケーションの使用履歴情報を取得する。
【００７０】
当該使用履歴情報は、使用頻度、使用回数、使用時間の中の任意の１つ以上を含むアプリケーションの使用状況パラメータ及びローカルに記憶されているデータ量を含む。
【００７１】
ステップＳ４０３において、使用履歴情報に基づいて、対応する削除通知情報を出力する。当該ステップＳ４０３は、さらに、以下のステップを含む。
【００７２】
ステップＳ４０３ａにおいて、使用状況パラメータが該当する所定閾値以上であるか否かを判定するとともに、アプリケーションによりローカルに記憶されているデータ量が所定データ量以上であるか否かを判定する。使用状況パラメータが該当する所定閾値以上であり、且つアプリケーションによりローカルに記憶されているデータ量が所定データ量以上である場合、ステップＳ４０３ｂを実行する。使用状況パラメータが該当する所定閾値より小さい、又は、アプリケーションによりローカルに記憶されているデータ量が所定データ量より小さい場合、ステップＳ４０３ｃを実行する。
【００７３】
端末装置は、使用状況パラメータ及びローカルに記憶されているデータ量をともに用いて、当該削除しようとするアプリケーションがユーザによく使われるか否か、又は、重要性が比較的高いか否かを判定する。
【００７４】
ステップＳ４０３ｂにおいて、使用状況パラメータが該当する所定閾値以上であり、且つ、アプリケーションによりローカルに記憶されているデータ量が所定データ量以上であると、所定の強調注意コンテンツを含む削除通知情報を出力する。
【００７５】
ステップＳ４０３ｃにおいて、使用状況パラメータが該当する所定閾値より小さい、又は、アプリケーションによりローカルに記憶されているデータ量が所定データ量より小さいと、普通の削除通知情報を出力する。
【００７６】
当該削除しようとするアプリケーションの使用状況パラメータが該当する所定閾値以上であり、且つ、ローカルに記憶されているデータ量が所定データ量以上である場合、当該削除しようとするアプリケーションの重要性が比較的高い、又は、ユーザによく使われることを確認する。この場合、図３に示した所定強調注意コンテンツ３１を含む削除通知情報を出力し、よく使われるアプリケーションを削除していることをユーザに注意することにより、当該削除しようとするアプリケーションが正確であるか否かをユーザに更に確かめさせて、削除の誤操作の確率を減らす。
【００７７】
本開示の一実施例において、図８に示すように、当該削除通知情報における所定強調注意コンテンツ３１は、さらに、当該アプリケーションの使用状況パラメータ、及びローカルに記憶されているデータ量を含む。図８に示した所定強調注意コンテンツ３１において、ユーザに当該アプリケーションの使用頻度が「３回／日」、使用時間が「３２時間」であることを通知し、ローカルに記憶されているデータ量が６０Ｍであることを通知することにより、当該削除しようとするアプリケーションの重要性が比較的高いことをユーザにさらに注意し、当該アプリケーションを削除するか否かをユーザにさらに確かめさせる。
【００７８】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定強調注意コンテンツに関連しており、ユーザに、重要性が比較的高い、または、使用頻度が高いアプリケーションを削除していることを直接に通知し、又は、音声にて当該削除しようとするアプリケーションの使用状況パラメータ及び、ローカルに記憶されているデータ量を出力することにより、ユーザによる削除の誤操作の確率を一層減らす。
【００７９】
実施例４
図９に示すように、使用履歴情報がアプリケーションの使用状況パラメータ及びローカルに記憶されているデータ量を含む場合、当該アプリケーション削除通知方法は、以下のステップを含む。
【００８０】
ステップＳ５０１において、アプリケーションを削除する指令を受信する。
【００８１】
ステップＳ５０２において、アプリケーションを削除する指令に基づいて、アプリケーションの使用履歴情報を取得する。
【００８２】
ステップＳ５０３において、使用履歴情報に基づいて、対応する削除通知情報を出力する。当該ステップＳ５０３は、更に以下のステップを含む。
【００８３】
ステップＳ５０３ａにおいて、使用履歴情報に基づいて、すべてのアプリケーションにおけるアプリケーションの重要度ランクを確認する。
【００８４】
端末装置は、削除しようとするアプリケーションの使用履歴情報に基づいて、すべてのアプリケーションにおける当該削除しようとするアプリケーションの重要度ランクを確認する。当該重要度ランクは、使用履歴情報における各使用状況パラメータ及びローカルに記憶されているデータ量に基づいて得られたものである。使用状況パラメータにおいて、使用頻度が高く、使用時間が長く、使用回数が多いほど、アプリケーションの順位が高くなる。アプリケーションによりローカルに記憶されているデータ量が多いほど、その順位が高くなる。各使用状況パラメータの順位及びローカルに記憶されているデータ量の順位に基づいて、重み付け演算を行い、すべてのアプリケーションにおける各アプリケーションの重要度ランクを総合的に取得する。
【００８５】
ステップＳ５０３ｂにおいて、すべてのアプリケーションにおけるアプリケーションの重要度ランクが所定順位以上であるか否かを判定する。アプリケーションのすべてのアプリケーションにおける重要度ランクが所定順位以上であると、ステップＳ５０３ｃを実行する。アプリケーションのすべてのアプリケーションにおける重要度ランクが所定順位より低いと、ステップＳ５０３ｄを実行する。
【００８６】
ステップＳ５０３ｃにおいて、アプリケーションのすべてのアプリケーションにおける重要度ランクが所定順位以上であると、所定の強調注意コンテンツを含む削除通知情報を出力する。
【００８７】
ステップＳ５０３ｄにおいて、アプリケーションのすべてのアプリケーションにおける重要度ランクが所定順位より低いと、普通の削除通知情報を出力する。
【００８８】
すべてのアプリケーションにおける削除しようとするアプリケーションの重要度ランクが所定順位以上である場合、当該削除しようとするアプリケーションがユーザによく使われる、又は、重要性が比較的高いことを確認する。この場合、図３に示した所定強調注意コンテンツ３１を含む削除通知情報を出力し、よく使われるアプリケーションを削除していることをユーザに通知することにより、ユーザに、当該削除しようとするアプリケーションが正確であるか否かを再度確かめさせて、削除誤操作の確率を減らす。
【００８９】
本開示の一実施例において、図１０に示すように、当該削除通知情報における所定強調注意コンテンツ３１は、さらに、すべてのアプリケーションにおける当該アプリケーションの重要度ランクを含む。図１０に示した所定強調注意コンテンツ３１は、ユーザに当該アプリケーションが「すべてのアプリケーションの重要度ランクのうち、第３位を占める」ことを通知することにより、当該削除しようとするアプリケーションの重要性が比較的高いことをユーザに注意し、ユーザに、更に当該アプリケーションを削除するか否かを確かめさせる。
【００９０】
上記の文字表示の形態にて、重要性が比較的高いアプリケーションを削除しようとしていることをユーザに通知する以外に、音声通知の形態にて、重要性が比較的高いアプリケーションを削除しようとすることをユーザに通知することもできる。音声通知のコンテンツは、当該所定強調注意コンテンツに関連しており、ユーザに、重要性が比較的高い、または、使用頻度が高いアプリケーションを削除していることを直接に通知し、又は、音声にて当該削除しようとするアプリケーションのすべてのアプリケーションにおける重要度ランクを出力することにより、ユーザによる削除の誤操作の確率を一層減らす。
【００９１】
上記の実施例１乃至実施例４において、ユーザに対する通知効果を更に強めるために、所定の強調注意コンテンツを含む削除通知情報を出力する場合、端末装置は、所定の強調注意コンテンツを含む削除通知情報を連続的に２回以上出力し、これにより、ユーザに通知を複数回行なう。通知の回数は、削除しようとするアプリケーションの重要程度に応じて変更でき、アプリケーションの重要性が高いほど、当該削除通知情報を出力する回数が多くなる。
【００９２】
本開示の一実施例において、アプリケーションの使用履歴情報を正確に取得するために、図１に示したアプリケーション削除通知方法において、当該ステップＳ１０１の前、図１１に示すように、当該アプリケーション削除通知方法は、更に、以下のステップを含む。
【００９３】
ステップＳ１００において、アプリケーションの使用履歴情報を記録する。
【００９４】
端末装置は、システムにインストールされた全てのアプリケーションの使用履歴情報を記録し、記録された使用履歴情報は、使用頻度、使用回数、使用時間の中の任意の１つ以上を含む使用状況パラメータ及びローカルに記憶されているデータ量を含む。
【００９５】
図１２は、例示的な実施例におけるアプリケーションの削除通知装置を模式的に示す図である。図１２を参照して、当該装置は、受信モジュール６０、取得モジュール６１、及び出力モジュール６２を備える。
【００９６】
当該受信モジュール６０は、アプリケーションを削除する指令を受信するように構成されている。
【００９７】
当該取得モジュール６１は、当該受信モジュール６０により受信したアプリケーションを削除する指令に基づいて、アプリケーションの使用履歴情報を取得するように構成されている。
【００９８】
当該出力モジュール６２は、当該取得モジュール６２により取得した使用履歴情報に基づいて、対応する削除通知情報を出力するように構成されている。
【００９９】
本開示の一実施例において、図１３に示すように、当該出力モジュール６２は、第１の判定ユニット６２０、及び第１の出力ユニット６２１を備える。
【０１００】
当該第１の判定ユニット６２０は、使用状況パラメータが該当する所定閾値以上であるか否かを判定するように構成されている。
【０１０１】
当該第１の出力ユニット６２１は、当該第１の判定ユニット６２０が使用状況パラメータは該当する所定閾値以上であると判定した場合、所定の強調注意コンテンツを含む削除通知情報を出力するように構成されている。
【０１０２】
本開示の一実施例において、図１４に示すように、当該出力モジュール６２は、第２の判定ユニット６２２、及び第２の出力ユニット６２３を備える。
【０１０３】
当該第２の判定ユニット６２２は、前記アプリケーションによりローカルに記憶されているデータ量が所定データ量以上であるか否かを判定するように構成されている。
【０１０４】
当該第２の出力ユニット６２３は、当該第２の判定ユニット６２２がアプリケーションによりローカルに記憶されているデータ量が所定データ量以上であると判定した場合、所定の強調注意コンテンツを含む削除通知情報を出力するように構成されている。
【０１０５】
本開示の一実施例において、図１５に示すように、当該出力モジュール６２は、第３の判定ユニット６２４及び第３の出力ユニット６２５を含む。
【０１０６】
当該第３の判定ユニット６２４は、使用状況パラメータが該当する所定閾値以上であるか否かを判定するとともに、アプリケーションによりローカルに記憶されているデータ量が所定データ量以上であるか否かを判定するように構成されている。
【０１０７】
当該第３の出力ユニット６２５は、当該第３の判定ユニット６２４が使用状況パラメータが該当する所定閾値以上であると判定するとともに、アプリケーションによりローカルに記憶されているデータ量が所定データ量以上であると判定した場合、所定の強調注意コンテンツを含む削除通知情報を出力するように構成されている。
【０１０８】
本開示の一実施例において、図１６に示すように、当該出力モジュール６２は、確認ユニット６２６、第４の判定ユニット６２７、及び第４の出力ユニット６２８を含む。
【０１０９】
当該確認ユニット６２６は、使用履歴情報に基づいて、すべてのアプリケーションにおけるアプリケーションの重要度ランクを確認するように構成されている。
【０１１０】
当該第４の判定ユニット６２７は、当該確認ユニット６２６が確認した全てのアプリケーションにおけるアプリケーションの重要度ランクが所定順位以上であるか否かを判定するように構成されている。
【０１１１】
当該第４の出力ユニット６２８は、当該第４の判定ユニット６２７が全てのアプリケーションにおけるアプリケーションの重要度ランクが所定順位以上であると判定した場合、所定の強調注意コンテンツを含む削除通知情報を出力するように構成されている。
【０１１２】
本開示の一実施例において、図１７に示すように、当該アプリケーションの削除通知装置は、さらに、記録モジュール６３を備える。
【０１１３】
当該記録モジュール６３は、当該取得モジュール６１により取得したアプリケーションの使用履歴情報を記録するように構成されている。
【０１１４】
上記の実施例に係る装置に関して、各モジュールが操作を実行する具体的な形態は、既に当該方法に係る実施例で詳細に記載されているので、ここでは、詳細な説明を省略する。
【０１１５】
図１８は例示的な実施例におけるアプリケーション削除通知装置８００を示すブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【０１１６】
図１８を参照して、装置８００は、プロセスアセンブリ８０２、メモリ８０４、電源アセンブリ８０６、マルチメディアアセンブリ８０８、オーディオアセンブリ８１０、入出力（Ｉ／Ｏ）インターフェイス８１２、センサアセンブリ８１４、及び通信アセンブリ８１６のような一つ以上のアセンブリを含んでよい。
【０１１７】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これによって命令を実行することにより、上記の方法の全部、或は一部のステップを実現するようにしてもよい。なお、プロセスアセンブリ８０２は、一つ以上のモジュールを含み、これによってプロセスアセンブリ８０２と他のアセンブリの間のインタラクションを容易にするようにしてもよい。例えば、プロセスアセンブリ８０２は、マルチメディアモジュールを含み、これによってマルチメディアアセンブリ８０８とプロセスアセンブリ８０２の間のインタラクションを容易にするようにしてもよい。
【０１１８】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いかなる種類の揮発性メモリ、不揮発性メモリ記憶デバイスまたはそれらの組み合わせによって実現されてもよく、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクである。
【０１１９】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【０１２０】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ８０８は、一つのフロントカメラ、及び／又はリアカメラを含む。装置８００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１２１】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【０１２２】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。このボタンは、ホームボタン、ボリュームボタン、起動ボタン、ロッキングボタンを含んでもよいが、これらに限定されない。
【０１２３】
センサアセンブリ８１４は、装置８００に各方面の状態に対する評価を提供するための一つ以上のセンサを含む。例えば、センサアセンブリ８１４は、装置８００の開／閉状態、装置８００のディスプレイとキーパッドのようなアセンブリの相対的な位置決めを検出できる。また、例えば、センサアセンブリ８１４は、装置８００、或いは装置８００の一つのアセンブリの位置変更、ユーザと装置８００とが接触しているか否か、装置８００の方位、又は加速／減速、装置８００の温度の変化を検出できる。センサアセンブリ８１４は、いかなる物理的接触がない状態にて付近の物体の存在を検出するための近接センサを含んでもよい。センサアセンブリ８１４は、撮影アプリケーションに適用するため、ＣＭＯＳ、又はＣＣＤイメージセンサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【０１２４】
通信アセンブリ８１６は、装置８００と他の機器の間に有線、又は無線形態の通信を提供する。装置８００は、例えばＷｉＦｉ、２Ｇ、３Ｇ、或いはこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【０１２５】
例示的な実施例において、装置８００は、一つ以上のＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【０１２６】
例示的な実施例において、さらに、命令を含む非一時的なコンピュータで読み取り可能な記憶媒体、例えば命令を含むメモリ８０４を提供しており、装置８００のプロセッサ８２０により上記命令を実行して上記方法を実現する。例えば、前記非一時的なコンピュータで読み取り可能な記憶媒体は、ＲＯＭ、ＲＡＭ（Ｒａｎｄｏｍ−Ａｃｃｅｓｓ Ｍｅｍｏｒｙ）、ＣＤ−ＲＯＭ（Ｃｏｍｐａｃｔ Ｄｉｓｃ ＲＯＭ）、磁気テープ、フロッピー（登録商標）ディスク、光データ記憶デバイス等である。
【０１２７】
非一時的なコンピュータで読み取り可能な記憶媒体は、当該記録媒体中の指令がモバイル端末のプロセッサによって実行される際に、携帯端末にアプリケーション削除通知方法を実行させることができる。前記方法は、
アプリケーションを削除する指令を受信するステップと、
前記アプリケーションを削除する指令に基づいて、前記アプリケーションの使用履歴情報を取得するステップと、
前記使用履歴情報に基づいて、対応する削除通知情報を出力するステップと、を含む。
前記使用履歴情報は、使用頻度、使用回数、使用時間の中の任意の１つ以上を含む前記アプリケーションの使用状況パラメータ、及び／又は前記アプリケーションによりローカルに記憶されているデータ量を含む。
【０１２８】
前記使用履歴情報が前記アプリケーションの使用状況パラメータを含む場合、前記使用履歴情報に基づいて、対応する削除通知情報を出力するステップは、
前記使用状況パラメータが該当する所定閾値以上であるか否かを判定するステップと、
前記使用状況パラメータが該当する所定閾値以上であると、所定の強調注意コンテンツを含む削除通知情報を出力するステップとを含む。
【０１２９】
前記使用履歴情報が前記アプリケーションによりローカルに記憶されているデータ量を含む場合、前記使用履歴情報に基づいて、対応する削除通知情報を出力するステップは、
前記アプリケーションによりローカルに記憶されているデータ量が所定データ量以上であるか否かを判定するステップと、
前記アプリケーションによりローカルに記憶されているデータ量が所定データ量以上である場合、所定の強調注意コンテンツを含む削除通知情報を出力するステップと、を含む。
【０１３０】
前記使用履歴情報が前記アプリケーションの使用状況パラメータと前記アプリケーションによりローカルに記憶されているデータ量とを含む場合、前記使用履歴情報に基づいて、対応する削除通知情報を出力するステップは、
前記使用状況パラメータが該当する所定閾値以上であるか否かを判定するとともに、前記アプリケーションによりローカルに記憶されているデータ量が所定データ量以上であるか否かを判定するステップと、
前記使用状況パラメータが該当する所定閾値以上であるとともに、前記アプリケーションによりローカルに記憶されているデータ量が所定データ量以上である場合、所定の強調注意コンテンツを含む削除通知情報を出力するステップと、を含む。
【０１３１】
前記使用履歴情報に基づいて、対応する削除通知情報を出力するステップは、
前記使用履歴情報に基づいて、全てのアプリケーションにおける前記アプリケーションの重要度ランクを確認するステップと、
全てのアプリケーションにおける前記アプリケーションの重要度ランクが所定順位以上であるか否かを判定するステップと、
全てのアプリケーションにおける前記アプリケーションの重要度ランクが所定順位以上である場合、所定の強調注意コンテンツを含む削除通知情報を出力するステップと、を含む。
【０１３２】
所定の強調注意コンテンツを含む削除通知情報を出力するステップは、
前記所定の強調注意コンテンツを含む削除通知情報を２回連続に出力するステップを含む。
【０１３３】
所定の強調注意コンテンツを含む削除通知情報を出力するステップは、
前記削除通知情報における所定の強調注意コンテンツを文字及び／又は音声で通知するステップを含む。
【０１３４】
前記所定の強調注意コンテンツは、前記使用履歴情報を含む。
【０１３５】
アプリケーションを削除する指令を受信するステップの前、前記方法は、
前記アプリケーションの使用履歴情報を記録するステップを含む。
【０１３６】
当業者は、本明細書に開示された発明の詳細を考慮し、実施することにより、本発明の他の実施方案を容易に想定することができる。本出願は、本発明のいかなる変形、用途、又は適応的な変化を含むことを目的としており、いかなる変形、用途、又は適応的な変化は、本発明の一般原理に基づき、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１３７】
本発明は、上記において開示された構成又は図面に示した構造に限定されるものではなく、本発明の範囲内であれば、様々な補正又は変更を行うことができる。本発明の範囲は、特許請求の範囲により制限される。
【０１３８】
本願は、出願番号が２０１４１０２６２１５５．２であって、出願日が２０１４年６月１２日である中国特許出願に基づいて優先権を主張し、当該中国特許出願のすべての内容を本願に援用する。
【国際調査報告】
2016532187.tif 000021
2016532187.tif 000022
2016532187.tif 000023
2016532187.tif 000024